(57)【特許請求の範囲】
【請求項１】
折線を介して、糊代片、側パネル、上パネル、側パネル、底パネルを、順に連接して、両縁部となる前記底パネルと前記糊代片を貼り合わせ両端に開口を備えた筒状の外箱と、この外箱内に摺動自在に挿入されるトレー状の中箱からなるスライド式カートンであって、
前記糊代片が内側に前記底パネルが外側にして貼り合わせており、
前記筒状の外箱の一方の開口側に、前記側パネル、前記上パネル及び前記側パネルを跨いで切目線が形成され、前記切目線の両端を連結するヒンジ用折線が前記底パネル及び前記糊代片に形成されており、
前記トレー状の中箱を前記筒状の外箱の他方の開口側に引き出し前記切目線で前記側パネル、前記上パネル及び前記側パネルを切り取り、切り取られた側パネル、上パネル及び側パネルを前記ヒンジ用折線を軸に回動させて傾斜用支柱が形成され前記傾斜用支柱の一方の開口側及び前記筒状の外箱の他方の開口側の前記トレー状の中箱が接地するように前記傾斜用支柱の一方の開口側を下方とし他方の開口側を上方として水平面に傾斜した状態で載置されることを特徴とする、
スライド式カートン。
【請求項２】
切り取られた側パネル、上パネル及び側パネルを前記ヒンジ用折線を軸に回動させて前記傾斜用支柱を形成した状態で、前記傾斜用支柱の一方の開口側及び前記筒状の外箱の他方の開口側の前記トレー状の中箱が接地するように水平台に載置したとき、前記筒状の外箱の前記底パネルに形成された前記ヒンジ用折線より水平台に垂らした垂線の位置が前記傾斜用支柱が水平台に接地する前記底パネルの位置と一致するか、または、前記上パネルと前記底パネルの位置の間に存在することを特徴とする請求項１に記載のスライド式カートン。
【請求項３】
前記トレー状の中箱が、前側板、後側板、一対の左右側板を、長方形状の底板から立ち上がるように折線を介して連接し、前記前側板の前記底板と対向する側の辺に蓋板を前記底板と対面するように折線を介して連接されていることを特徴とする請求項１または請求項２に記載のスライド式カートン。
【請求項４】
前記糊代片の一方の端に前記ヒンジ用折線を備え、他方の端に切り込みからなるストッパーを備えることを特徴とする請求項１乃至請求項３のいずれかに記載のスライド式カートン。
【発明の詳細な説明】
【技術分野】
【０００１】
本発明は、チョコレート、キャンデー、菓子等の固形物の食品やピンポン玉等の雑貨品を収納する筒状の外箱と、この筒状の外箱内に摺動自在に挿入されるトレー状の中箱からなるスライド式カートンに関する。詳しくは、筒状の外箱の側パネル、上パネル及び側パネルを切取線で切り取り、切り取られた部分を底パネルに形成されたヒンジ用折線を介して回動させることにより傾斜用支柱とすることにより、スライド式カートンを傾斜させて収納された上記食品や雑貨品の収納物がトレー状の中箱の一端に転がるか滑り下りることにより、トレー状の中箱の一端から収納物を取出し可能なスライド式カートンに関する。
【背景技術】
【０００２】
従来、チョコレート、キャンデー、菓子等の固形物の食品やピンポン玉等の雑貨品を多数集合させて収納するカートンとしては、外箱に摺動自在な中箱を挿入した二重構造のスライド式カートンが多用されている。
【０００３】
また、スライド式カートンから収納物を取り出す場合、中箱を外箱から取り出して収納物を必要量取り出したり、または、中箱を適宜の長さまで引き出して、スライド式カートンを傾斜させて収納物を転げさせるか滑り下ろすかして取り出したりされている。前者の使用方法は、収納物を使い切る場合には、問題ないが、小出しにして繰り返し使用する場合にはその都度中箱を外箱に挿入したり、引き出したりしなければならず操作が面倒であるという問題があり、後者の方法は、収納物を取り出す都度、スライド式カートンを傾斜させて収納物を取り出さねばならず、面倒なものである。
【０００４】
上記問題点を解決したものとして、中舟式引き出し紙箱が傾斜されることにより収納されている収納物が引き出された中舟の先端部分に保持され、連続して収納物を中舟の先端部分から取り出すことが出来る中舟式引き出し紙箱が開示されている（例えば、特許文献１参照）。
【先行技術文献】
【特許文献】
【０００５】
【特許文献１】特開２００５−１７０３９１号公報
【発明の概要】
【発明が解決しようとする課題】
【０００６】
特許文献１の中舟式引き出し紙箱は、中舟を引き出すことにより外筒の下面板に三角形状の傾斜用脚板が形成され、この傾斜用脚板により紙箱を傾斜状態に維持するものであるが、傾斜用脚板の幅が中舟式引き出し紙箱の幅に対して狭い上に傾斜用脚板は一本の線で支える構造であり、安定性が十分とは言えず、特に収納物が紙箱の一方の側に偏在する状態になるとバランスを失くし中舟式引き出し紙箱が転倒することがある。また、通常、外筒の紙目は中舟を引き出す方向に直角方向とされるため、傾斜用脚板の紙目も中舟を引き出す方向に直角方向となり、傾斜用脚板の強度が弱くなるため折り曲がりやすくなり紙箱の傾斜状態を維持できないことがある。また、外筒の差し込み片を中舟に固定する必要があり、生産性が低下するという問題がある。
【０００７】
そこで本発明は、上記問題を解決すべくなされたものであり、その目的とするところはスライド式カートンに収納される多数の固形の収納物を取り出す際、スライド式カートンを傾斜させる構造とすることにより、トレー状の中箱の一端から収納物を取出し可能なスライド式カートンを提供することにある。
【課題を解決するための手段】
【０００８】
本発明は、上記課題を達成するために、請求項１記載の本発明は、折線を介して、糊代片、側パネル、上パネル、側パネル、底パネルを、順に連接して、両縁部となる前記底パネルと前記糊代片を貼り合わせ両端に開口を備えた筒状の外箱と、この外箱内に摺動自在に挿入されるトレー状の中箱からなるスライド式カートンであって、前記糊代片が内側に前記底パネルが外側にして貼り合わせており、前記筒状の外箱の一方の開口側に、前記側パネル、前記上パネル及び前記側パネルを跨いで切目線が形成され、前記切目線の両端を連結するヒンジ用折線が前記底パネル及び前記糊代片に形成されており、前記トレー状の中箱を前記筒状の外箱の他方の開口側に引き出し前記切目線で前記側パネル、前記上パネル及び前記側パネルを切り取り、切り取られた側パネル、上パネル及び側パネルを前記ヒンジ用折線を軸に回動させて傾斜用支柱が形成され前記傾斜用支柱の一方の開口側及び前記筒状の外箱の他方の開口側の前記トレー状の中箱が接地するように前記傾斜用支柱の一方の開口側を下方とし他方の開口側を上方として水平面に傾斜した状態で載置されることを特徴とする、スライド式カートンである。
【０００９】
また、請求項２記載の本発明は、請求項１に記載のスライド式カートンにおいて、切り取られた側パネル、上パネル及び側パネルを前記ヒンジ用折線を軸に回動させて前記傾斜用支柱を形成した状態で、前記傾斜用支柱の一方の開口側及び前記筒状の外箱の他方の開口側の前記トレー状の中箱が接地するように水平台に載置したとき、前記筒状の外箱の前記底パネルに形成された前記ヒンジ用折線より水平台に垂らした垂線の位置が前記傾斜用支柱が水平台に接地する前記底パネルの位置と一致するか、または、前記上パネルと前記底パネルの位置の間に存在することを特徴とするものである。
【００１０】
また、請求項３記載の本発明は、請求項１または請求項２に記載のスライド式カートンにおいて、前記トレー状の中箱が、前側板、後側板、一対の左右側板を、長方形状の底板から立ち上がるように折線を介して連接し、前記前側板の前記底板と対向する側の辺に蓋板を前記底板と対面するように折線を介して連接されていることを特徴とするものである。
【００１１】
また、請求項４記載の本発明は、請求項１乃至請求項３のいずれかに記載のスライド式カートンにおいて、前記糊代片の一方の端に前記ヒンジ用折線を備え、他方の端に切り込みからなるストッパーを備えることを特徴とするものである。
【発明の効果】
【００１２】
本発明のスライド式カートンは、トレー状の中箱を筒状の外箱の他方の開口側に引き出し切目線で側パネル、上パネル及び側パネルを切り取り、切り取られた側パネル、上パネル及び側パネルをヒンジ用折線を軸に回動させて傾斜用支柱が形成され傾斜用支柱の一方の開口側及び筒状の外箱の他方の開口側のトレー状の中箱が接地するように傾斜用支柱の一方の開口側を下方とし他方の開口側を上方として水平面に載置する構成とすることにより、簡単な操作でスライド式カートンを水平面に傾斜した状態にでき、スライド式カートンに収納された収納物を筒状の外箱の他方の開口側に引き出されたトレー状の中箱の一端から容易に取り出すことができる。また、スライド式カートンが傾斜した状態で保持されるので収納物を取り出すと、つぎの収納物がトレー状の中箱の一端に移動してくるのでワンアクションで連続的に収納物を取り出すことができ、さらに消費者に利便性と楽しさを供与できる。さらに、傾斜したスライド式カートンは全幅が傾斜用支柱で支えられ、しかも傾斜用支柱の一方の開口側が水平面に接地するのでスライド式カートンを傾斜した状態で安定して保持することができる。また、従来技術で示した中舟式引き出し箱のように中箱の一端を外筒に固定する工程を余分に追加する必要がないので製造工程も簡略なものとなる。
【００１３】
また、請求項２記載の本発明は、切り取られた側パネル、上パネル及び側パネルをヒンジ用折線を軸に回動させて傾斜用支柱を形成した状態で、傾斜用支柱の一方の開口側及び筒状の外箱の他方の開口側のトレー状の中箱が接地するように水平台に載置したとき、傾斜したスライド式カートンを支える力が作用するヒンジ用折線より水平台に垂らした垂線の位置と、水平台に接地した傾斜用支柱の一方の開口側の上パネル及び底パネルの位置関係において、ヒンジ用折線に傾斜したスライド式カートンを支える力が作用することになるがヒンジ用折線より水平台に垂らした垂線の位置が、底パネルの位置と一致するか、または、上パネルと底パネルの位置の間に存在する関係とすることにより、スライド式カートンを傾斜した状態でより安定して保持することが可能となる。
【図面の簡単な説明】
【００１４】
【図１】本発明に係るスライド式カートンの一実施形態を示す斜視図である。
【図２】本発明に係るスライド式カートンの筒状の外箱のブランクを示す展開図である。
【図３】本発明に係るスライド式カートンのトレー状の中箱のブランクを示す展開図である。
【図４】本発明に係るスライド式カートンのトレー状の中箱を示す斜視図である。
【図５】本発明に係るスライド式カートンの機能を説明する正面図である。
【発明を実施するための形態】
【００１５】
上記の本発明について、図面等を用いて以下に詳述する。
図１は本発明に係るスライド式カートンの一実施形態を示す斜視図、図２は本発明に係るスライド式カートンの筒状の外箱のブランクを示す展開図、図３は本発明に係るスライド式カートンのトレー状の中箱のブランクを示す展開図、図４は本発明に係るスライド式カートンのトレー状の中箱を示す斜視図、図５は本発明に係るスライド式カートンの機能を説明する正面図であり、図中の１０、１０’はスライド式カートン、２０は筒状の外箱、２１は糊代片、２１ｓはストッパー、２２、２４は側パネル、２２ｔ、２４ｔは摘み用切り欠き部、２３は上パネル、２３ｋは内面紙係止用切り込み、２５は底パネル、２６は折線、２７は切目線、２７１、２７３は側パネルの切目線、２７２は上パネルの切目線、２８はヒンジ用折線、３０はトレー状の中箱、３１は前側板、３１ａは蓋板、３１ｂは蓋側板、３１ｃは延長蓋板、３１ｄは小片、３１ｓはストッパー、３２は後側板、３２ａは重合後側板、３２ｂは延長後側板、３３は左側板、３４は右側板、３３ａ、３４ａは小片、３５は底板、３５ｋは切り込み、３６は折線、３７は蓋部、４０は傾斜用支柱、５０は水平台、６０は取り出し口、Ｐ１はヒンジ用折線より水平台に垂らした垂線の位置、Ｐ２は傾斜用支柱の一方の開口側が水平台に接地する底パネルの位置、Ｐ３は傾斜用支柱の一方の開口側が水平台に接地する上パネルの位置をそれぞれ示す。
【００１６】
図１は本発明に係るスライド式カートン１０の一実施形態を示す斜視図である。本発明のスライド式カートン１０は、両側に開口を備えた筒状の外箱２０とトレー状の中箱３０からなり筒状の外箱２０の内側にトレー状の中箱３０が筒状の外箱２０の一方の開口側とトレー状の中箱３０の蓋部３７が同じ側になるように摺動自在に挿入されている。
【００１７】
図１、図２に示すように筒状の外箱２０は、折線を介して、糊代片２１（図２参照）、側パネル２２、上パネル２３、側パネル２４（図２参照）、底パネル２５（図２参照）が順に連接され、両縁部となる底パネル２５の内面と糊代片２１の外面を貼り合わせ四角柱状となし、その両端が開口された筒状に構成されており、筒状の外箱２０の一方の開口側には側パネル２２、上パネル２３、及び側パネル２４を跨ぐ切目線２７が設けられている。側パネル２２の切目線２７は、上パネル２３と側パネル２２で成す稜線から側パネル２２と底パネル２５で成す稜線に至るミシン目からなる切目線２７１であり、側パネル２４の切目線２７は、切目線２７１と同様に上パネル２３と側パネル２４で成す稜線から側パネル２４と底パネル２５で成す稜線に至るミシン目からなる切目線２７３（図２参照）である。上パネル２３の切目線２７は、ミシン目からなる切目線２７１、２７３を連結するジッパーからなる切目線２７２である。ジッパーは略Ｌ字状の切目と直線状の切目で構成され、直線状の切目を中心にして略Ｌ字状の切目を左右対称に上パネル２３の一方の開口側の端辺に沿って形成されている。ジッパーからなる切目線２７２はミシン目からなる切目線とすることもできるがジッパーの方が、切り取り性が向上するので好ましい。
【００１８】
図１に示すように上パネル２３の一方の開口側から他方の開口側に向かう方向の長さが底パネル２５のその方向の長さより小さくされており、筒状の外箱２０の一方の開口側において、上パネル２３の端辺が底パネル２５の端辺より後退している。したがって、トレー状の中箱３０の蓋部３７が見えている。また筒状の外箱２０の側パネル２２、２４の他方の開口側の端辺にはトレー状の中箱３０を指で摘まんで引き出すための摘み用切り欠き部２２ｔ、２４ｔがそれぞれ設けられている。
【００１９】
図２は本発明に係るスライド式カートン１０の筒状の外箱２０のブランクを示す展開図である。筒状の外箱２０を形成するブランクは、折線２６を介して、糊代片２１、側パネル２２、上パネル２３、側パネル２４、底パネル２５が順に連接されてなる。上パネル２３の上下方向の長さ（一方の開口側と他方の開口側が対面する方向）は底パネル２５の上下方向の長さより小さく、上パネル２３の上辺は底パネル２５の上辺より後退している。図２において、上側がブランクを製函して起函すると一方の開口側となるものである。側パネル２２及び側パネル２４の下辺には上方に切り欠かれた摘み用切り欠き部２２ｔ及び摘み用切り欠き部２４ｔがそれぞれ設けられ、側パネル２２の上辺は糊代片２１及び上パネル２３の上辺を結ぶ斜辺とされ、側パネル２４の上辺は底パネル２５及び上パネル２３の上辺を結ぶ斜辺とされている。また、ブランクの上部には側パネル２２、上パネル２３及び側パネル２４に跨る切目線２７が形成されている。側パネル２２、２４に形成された切目線２７はミシン目からなる切目線２７１、２７３であり、上パネル２３に形成された切目線２７はジッパーからなる切目線２７２である。
【００２０】
底パネル２５の上部にはヒンジ用折線２８が形成されており切目線２７３の端に連結している。糊代片２１の上辺及び下辺は斜辺とされ、側パネル２２の上端及び下端より相互に近づく方向に傾斜している。糊代片２１の上部にはヒンジ用折線２８が形成されており一方の端が切目線２７１の端に連結しており、他方の端には上部に膨出する弓形の切り込みからなるストッパー２１ｓが設けられている。糊代片２１は底パネル２５の右縁部の内面に糊代片２１の外面を重ねて例えばエマルジョン接着剤等で貼り合わせられる。貼り合わされ製函されると切目線２７１の端と切目線２７３の端とがヒンジ用折線２８で連結される。ヒンジ用折線２８は、切目と押罫からなるリード罫が好ましい。
【００２１】
上パネル２３の下部には下方に膨らんだ内面紙係止用切り込み２３ｋが形成されている。内面紙係止用切り込み２３ｋには適宜歯止めが設けられている。また、内面紙係止用切り込み２３ｋの両端はＵ字状に形成されており、内面紙係止用切り込み２３ｋの歯止めを切り取る際、上パネル２３の破れ防止のためのストッパーの役目をする。なお、内面紙は、スライド式カートン１０にチョコレート、キャンデー、菓子等を直接収納する場合、収納物が直接カートンの内面に接触することを防止し食品衛生性を保持すると共に損傷防止のために収納物を覆い使用されるものであり、内面紙を使用する場合には内面紙係止用切り込み２３ｋを設ける方が好ましい。収納物の種類により食品衛生性や損傷防止のための緩衝性が要求されない場合には内面紙を使用しないので、この場合には、内面紙係止用切り込み２３ｋは省略できる。
【００２２】
図３は本発明に係るスライド式カートン１０のトレー状の中箱３０のブランクを示す展開図である。この図３に示すブランク例は、長方形状の前側板３１、後側板３２、一対の左側板３３と右側板３４を長方形状の底板３５から立ち上がるように折線３６を介して連接され、上面が開放されたトレー状に製函されるトレー状の中箱３０の一実施形態を示すものである。
【００２３】
図３に示すようにトレー状の中箱３０を形成するブランクは、長方形状の底板３５に折線３６を介して、前側板３１、後側板３２、左側板３３、右側板３４が連接されている。さらに、前側板３１には折線３６を介して、蓋板３１ａ、蓋側板３１ｂ、延長蓋板３１ｃが順に連接され、蓋側板３１ｂの左右両端には折線３６を介して小片３１ｄがそれぞれ連接されている。一対の左側板３３及び右側板３４の上下両端には折線３６を介して小片３３ａ及び小片３４ａがそれぞれ連接されている。後側板３２には折線３６を介して重合後側板３２ａ、延長後側板３２ｂが順に連接されている。
【００２４】
前側板３１には底板３５側に膨出する弓形の切り込みからなるストッパー３１ｓが設けられている。ストッパー３１ｓは、製函して組み立てたスライド式カートン１０を後述するが傾斜用支柱４０を形成した後、筒状の外箱２０の糊代片２１に形成されたストッパー２１ｓに当接しトレー状の中箱３０を係止させ他方の開口側に取り出し口６０を所定の大きさで形成することができる。
底板３５の上部及び下部の左右方向の中央付近に山形状の切り込み３５ｋがそれぞれ形成されている。上部に形成された山形状の切り込み３５ｋの頂上は前側板３１側、下部に形成された山形状の切り込み３５ｋの頂上は後側板３３側とされている。
【００２５】
図３に示すトレー状の中箱３０を形成するブランクは、底板３５の折線３６をそれぞれ折ることにより左側板３３、右側板３４、前側板３１、後側板３２を立ち上げると共に左側板３３の小片３３ａを折線３６で内側に折り前側板３１の内面及び後側板３２の内面に当接させ、同様に右側板３４の小片３４ａを折線３６で内側に折り前側板３１の内面及び後側板３２の内面に当接させ、前側板３１については蓋板３１ａ、蓋側板３１ｂを折線３６で内側におり、蓋側板３１ｂの小片３１ｄを折線３６で内側に折り左側板３３の内面及び右側板３４の内面にそれぞれ当接させ蓋部３７を形成すると共に延長蓋板３１ｃを折線３６で外側に折り端部を底板３５の上部に形成された切り込み３５ｋに差し込み係止させ、後側板３２については重合後側板３２ａを折線３６で内側に折り曲げて後側板３２の内面に重合し延長後側板３２ｂを折線３６で外側に折り端部を底板３５の下部に形成された切り込み３５ｋに差し込み係止させ、図４に示すトレー状の中箱３０が組み立てられる。
【００２６】
図２に示したブランクの両縁部となる底パネル２５の内面と糊代片２１の外面を貼り合わせて製函され両端が開放された折り畳まれた状態の筒状の外箱を起函させ、両端に開口を備えた筒状の外箱２０に図４に示す組み立てられたトレー状の中箱３０を、蓋部３７が筒状の外箱２０の一方の開口部側になるように挿入させることにより図１に示すスライド式カートン１０が完成する。また、筒状の外箱２０は、図１、図２に限定されるものではなく、図示しないが上パネル２３と底パネル２５の上下方向の長さを同じにしてもよい。なお、上パネル２３と底パネル２５の上下方向の長さを同じにする場合には、トレー状の中箱の開口が上パネル２３で被覆することになるのでトレー状の中箱３０には蓋板３１ａ、蓋側板３１ｂは省略することができる。なぜならばこれらで構成される蓋部３７の役割は、図１に示すように上パネル２３の一方の開口側から他方の開口側に向かう方向の長さが底パネル２５のその方向の長さより小さくされており、筒状の外箱２０の一方の開口側において、上パネル２３の端辺が底パネル２４の端辺より後退している構成の筒状の外箱２０としたとき、トレー状の中箱３０の開口が露出するためにその開口を覆うためのものである。また、トレー状の中箱３０は紙箱に限定されるものではなく、プラスチック成型品とすることもできる。
【００２７】
つぎに、図１、図５を参照しながら本発明のスライド式カートン１０の使用方法及び機能について説明する。図５は本発明に係るスライド式カートン１０の機能を説明する正面図である。まず、図１に示す状態からトレー状の中箱３０を筒状の外箱２０の他方の開口側に筒状の外箱２０の切目線２７を越えるまで引き出す。その後、図示しないが筒状の外箱２０の上パネル２３の切目線２７より一方の開口側部分を手で上方から下方へ押し込むか、または、上方から側パネルを押し潰すように斜め下方に力を加えると筒状の外箱２０の切目線２７で側パネル２２、上パネル２３及び側パネル２４が切り取られる。切り取られた側パネル２２、上パネル２３及び側パネル２４を下方に押すと底パネル２５に形成されたヒンジ用折線２８で折り曲げられ、切り取られた側パネル２２、上パネル２３及び側パネル２４を回動させることにより図５に示すように傾斜用支柱４０が形成される。つぎに、トレー状の中箱３０を筒状の外箱２０の一方の開口側に少し戻すと前側板３１に形成したストッパー３１ｓが筒状の外箱２０糊代片２１に形成されたストッパー２１ｓと係合し、筒状の外箱２０の他方の開口側にトレー状の中箱３０の開口が露出し取り出し口６０が形成される。回動させることにより形成された傾斜用支柱４０の一方の開口側の上パネル２３の端辺及び底パネル２５の端辺並びに筒状の外箱２０の他方の開口側のトレー状の中箱３０の底板３５と後側板３２でなす稜線が接地ように水平台５０に載置すると図５に示すようにトレー状の中箱３０が傾斜された状態が保持される。
【００２８】
ヒンジ用折線２８は、傾斜用支柱４０を回動させる回転軸となるものであり、傾斜用支柱４０は一方の開口側の切り取られた側パネル２２、上パネル２３、側パネル２４及び一方の開口側のヒンジ用折線２８により折られた底パネル２５で構成される四角柱状である。傾斜用支柱４０は少なくとも一方の開口側の上パネル２３及び底パネル２５の端辺が水平台５０に接地することが好ましく、一方の開口側の側パネル２２、上パネル２３、側パネル２４及び底パネル２５の端辺が水平台５０に接地することがより好ましい。そうすることにより傾斜したスライド式カートン１０’の傾斜した状態をより安定して保持することができる。上記のようにすることにより筒状の外箱２０の他方の開口側に形成された取り出し口６０より収納物を取り出すことができる。また、収納物は、スライド式カートン１０’が傾斜した状態で保持されているので収納物を取り出すと、つぎの収納物がトレー状の中箱３０の取り出し口６０に移動してくるので連続的に収納物を取り出すことができる。
【００２９】
つぎに、上記のように収納物が取り出せるようにスライド式カートンを傾斜した状態で水平台５０に載置したとき、ヒンジ用折線２８より水平台５０に垂らした垂線の位置Ｐ１、傾斜用支柱４０が水平台５０に接地する底パネル２５の端辺の位置Ｐ２、傾斜用支柱４０が水平台５０に接地する上パネル２３の端辺の位置Ｐ３の相対的位置関係について説明する。
図５に示すように筒状の外箱２０の底パネル２５に形成されたヒンジ用折線２８より水平台５０に垂らした垂線の位置Ｐ１が傾斜用支柱４０が水平台５０に接地する底パネル２５の端辺の位置Ｐ２と一致するか、または、水平台５０に接地する底パネル２５の端辺の位置Ｐ２と傾斜用支柱４０が水平台５０に接地する上パネル２３の端辺の位置Ｐ３の位置の間に存在することが好ましい。Ｐ１、Ｐ２、Ｐ３の位置関係をこのようにすることで傾斜したスライド式カートン１０’を支える力がヒンジ用折線２８に作用しても傾斜用支柱４０は四角柱状であるので支えることが容易となり、スライド式カートンを傾斜した状態でより安定して保持することが可能となる。
【００３０】
本発明のスライド式カートン１０を構成する筒状の外箱２０の材質は、限定されないが、コートボール、ノーコートボール、カード紙、アイボリー、クラフトボール等のコート紙、ノーコート紙等の板紙が使用できる。坪量としては２３０ｇ／ｍ2  〜４５０ｇ／ｍ2 である。トレー状の中箱３０の材質は、上記板紙以外にプラスチックのシートや成形品が使用できる。プラスチックとしてはポリオレフィン、ポリエステル、ポリスチレン、ポリカーボネート、ポリアクリレート等が使用される。
【実施例】
【００３１】
〔実施例１〕
筒状の外箱２０、トレー状の中箱３０にコートボールを使用し、外寸が幅８５ｍｍ×上下長さ（一方の開口側と他方の開口側が対面する方向の長さ）１６５ｍｍ×高さ２０．５ｍｍの図１に示す直方体状のスライド式カートン１０を作製した。筒状の外箱２０、トレー状の中箱３０のブランクは図２、図３に示す展開図の形状とした。
【００３２】
〔実施例２〕
筒状の外箱の上パネルと底パネルの図２に示す上下方向の長さ（一方の開口側と他方の開口側が対面する方向の長さ）は同じとし、トレー状の中箱は厚さ０．４ｍｍのポリスチレンシートを真空成形したものを使用した以外は実施例１と同じとして作製した。
【００３３】
実施例１、実施例２で作製したスライド式カートンにラグビーボール形状のチョコボールを充填し、上記使用方法で開封し、スライド式カートンを傾斜した状態にしたところ、傾斜状態を維持することができ、取り出し口からチョコボールを連続して取り出すことができた。
【産業上の利用可能性】
【００３４】
本発明のスライド式カートンは、簡単な操作で傾斜状態の保持が可能となり、連続的に収納物の取り出しが可能であり、チョコレート、キャンデー、菓子等の食品やピンポン玉等の雑貨品を収納し、収納物を連続して取り出せる商品の包装箱に好適に用いられる。
【符号の説明】
【００３５】
１０、１０’        スライド式カートン
２０                筒状の外箱
２１                糊代片
２１ｓ              ストッパー
２２                側パネル
２２ｔ              摘み用切り欠き部
２３                上パネル
２３ｋ              内面紙係止用切り込み
２４                側パネル
２４ｔ              摘み用切り欠き部
２５                底パネル
２６                折線
２７                切目線
２７１、２７３      側パネルの切目線
２７２              上パネルの切目線
２８                ヒンジ用折線
３０                トレー状の中箱
３１                前側板
３１ａ              蓋板
３１ｂ              蓋側板
３１ｃ              延長蓋板
３１ｄ              小片
３１ｓ              ストッパー
３２                後側板
３２ａ              重合後側板
３２ｂ              延長後側板
３３                左側板
３４                右側板
３３ａ、３４ａ      小片
３５                底板
３５ｋ              切り込み
３６                折線
３７                蓋部
４０                傾斜用支柱
５０                水平台
６０                取り出し口
Ｐ１                ヒンジ用折線より水平台に垂らした垂線の位置
Ｐ２                傾斜用支柱の一方の開口側が水平台に接地する底パネルの位置
Ｐ３                傾斜用支柱の一方の開口側が水平台に接地する上パネルの位置
【図１】
0006398410.tif 000002
【図２】
0006398410.tif 000003
【図３】
0006398410.tif 000004
【図４】
0006398410.tif 000005
【図５】
0006398410.tif 000006